(57)【特許請求の範囲】
【請求項１】
第１の色の光のみが照射される単色の領域に、該単色の領域に対し前記第１の色の光と識別可能な第２の色の光を投光して発現すると共に一定距離から色覚異常者のみが判別できる色度を有する混色の領域が、隣接して形成される透光性スクリーンと、
開口部に透光性スクリーンが装着された信号灯器本体と、
該信号灯器本体内に配置された、前記透光性スクリーンに向けて、前記第１の色の光を照射する第１のＬＥＤと、
前記信号灯器本体内に配置された、前記透光性スクリーンに向けて、前記第２の色の光を照射する第２のＬＥＤと、
該第２のＬＥＤと前記透光性スクリーンとの間に配置されたレンズ部とを備える
ＬＥＤ信号灯。
【請求項２】
前記レンズ部は、
前記第１のＬＥＤの配置空間と第２のＬＥＤの配置空間とに画設可能な投光部上に形成される
請求項１に記載のＬＥＤ信号灯。
【請求項３】
前記投光部は、
前記第１のＬＥＤと第２のＬＥＤを取り付ける基板に中空状に形成され、該基板上の空間を外側空間と内側空間に画設し、該外側空間と内側空間のそれぞれに、前記第１のＬＥＤと第２のＬＥＤが配置されることにより、前記第１のＬＥＤと第２のＬＥＤを分離して配置する分離構造を有する
請求項２に記載のＬＥＤ信号灯。
【請求項４】
前記投光部は、
中空の円柱形状であって、円柱の内部中央に前記第２のＬＥＤが配置される一方、前記円柱の上面にレンズ部が形成され、該上面の周囲に周設された基板上に前記第１のＬＥＤを配置することにより、前記レンズ部と第１のＬＥＤを同一面上に配置する面一構造を有する
請求項３に記載のＬＥＤ信号灯。
【請求項５】
前記第１の色の光は、赤色であり、前記第２の色の光は、青色である
請求項１、請求項２、請求項３又は請求項４に記載のＬＥＤ信号灯。
【請求項６】
前記第１の色の光は、黄色であり、前記第２の色の光は、青色である、
請求項１、請求項２、請求項３又は請求項４に記載のＬＥＤ信号灯。
【請求項７】
前記透光性スクリーンに映し出される単色の領域と混色の領域の輝度比が２０％以上である
請求項１、請求項２、請求項３又は請求項４に記載のＬＥＤ信号灯。
【発明の詳細な説明】
【技術分野】
【０００１】
本発明はＬＥＤ信号灯に関する。詳しくは健常者と色覚異常者の双方にとって識別可能となるＬＥＤ信号灯に係るものである。
【背景技術】
【０００２】
現在、交通信号機のほとんどにＬＥＤが使用されている。このＬＥＤ式信号機は、かつての電球式に比べて省エネを実現し、自然光で見え方が左右されるという不便さを解消した。
【０００３】
その一方で、多くの色弱者にはＬＥＤの黄色と赤色が似た色に見えてしまうために信号を識別し難い問題があった。
【０００４】
そこで、本発明者は色覚異常者にも識別可能なＬＥＤ信号灯として特許文献１に記載の特許出願を行った。具体的には、図９に示すように、赤色ＬＥＤ素子１０１群に、その発光される色度が赤紫色とされる識別用ＬＥＤ素子１０２がＸ字状にパターン化された構成とされている。
【０００５】
これにより、光源色として色覚異常者には赤色が沈んだ茶色に見え、赤紫色が明るい青色として浮かび上がるように見えることで色覚異常者は光源色としての色相差で健常者より明確に識別することができる。
【０００６】
また、赤紫色の発光色は、健常者には判別することが困難となる赤色と同系色である紫色系とするため、健常者には違和感のない両者共通のＬＥＤ信号灯を得ることが可能となる。
【０００７】
しかし、近年高出力、高輝度のＬＥＤ（以下「ハイパワーＬＥＤ」と称する。）を使用したＬＥＤ信号灯が開発されている。このハイパワーＬＥＤによる信号灯は、電球式信号灯の電球に代えてハイパワーＬＥＤを数個配置することで現状のＬＥＤ信号灯（多数の砲弾型ＬＥＤによる信号灯）と同様な輝度を得ることができる。
【０００８】
これにより多数の砲弾型ＬＥＤが位置される現状のＬＥＤ信号灯に比べて大幅な電力消費の削減となることから今後はハイパワーＬＥＤを使用したＬＥＤ信号灯に移り替わることが予想される。
【先行技術文献】
【特許文献】
【０００９】
【特許文献１】特許第４５１２１４０号公報
【発明の開示】
【発明が解決しようとする課題】
【００１０】
しかしながら、前記特許文献１に記載された発明では、信号灯器の開口面に対して多数の赤色ＬＥＤ素子及び識別用ＬＥＤ素子を前記図９に示すように面状に配列することで赤色の光源色にＸ字状にパターン化された識別用ＬＥＤ素子を発光させることが可能となる。
【００１１】
このような構成のＬＥＤ信号灯では、例えば、ハイパワーＬＥＤを使用しても面状にＬＥＤ素子を配列する構成であるために大幅にＬＥＤ素子の個数を減らすことはできない。
【００１２】
本発明は、以上の点に鑑みて創案されたものであって、数個のＬＥＤによって色覚異常者が一定距離からでも判別可能かつ全体に混合変色を及ぼさないＬＥＤ信号灯を提供することを目的とするものである。
【課題を解決するための手段】
【００１３】
上記の目的を達成するために、本発明に係るＬＥＤ信号灯は、開口部に透光性スクリーンが装着された信号灯器本体と、該信号灯器本体内に配置された、前記透光性スクリーンに向けて、第１の色の光を照射する第１のＬＥＤと、前記信号灯器本体内に配置された、前記第１の色の光と識別可能な第２の色の光を前記透光性スクリーンに向けて照射する第２のＬＥＤと、該第２のＬＥＤと前記透光性スクリーンとの間に配置されたレンズ部とを備える。
【００１４】
ここで、開口部に透光性スクリーンが装着された信号灯器本体によって、点灯色を透光性スクリーンに映し出すことが可能となる。
【００１５】
また、信号灯器本体内に配置された、透光性スクリーンに向けて、第１の色の光を照射する第１のＬＥＤによって、透光性スクリーンに第１の色の光を照射することが可能となる。
例えば、数個の第１のＬＥＤから点灯色を透光性スクリーン全面に照射することができる。
【００１６】
また、信号灯器本体内に配置された、第１の色の光と識別可能な第２の色の光を透光性スクリーンに向けて照射する第２のＬＥＤによって、透光性スクリーンに第２の色の光を照射することが可能となる。
【００１７】
また、第２のＬＥＤと透光性スクリーンとの間に配置されたレンズ部によって、第２の色の光を透光性スクリーンにレンズ部を通して所定の形状に映写することが可能となる。
【００１８】
また、本発明に係るＬＥＤ信号灯において、レンズ部の周囲に第２の光を遮光する遮光領域を備える場合には、第２のＬＥＤからの発光は、レンズ部のみを通して透光性スクリーンに所定の形状に映写することを可能とする。
【００１９】
また、本発明に係るＬＥＤ信号灯において、第１の色の光が赤色であり、第２の色の光が青色である場合には、第１の色の光で透光性スクリーンの全面に照射された赤色に対して第２の色の光で所定の形状の青色を映写することで混色の紫色系とすることが可能となる。
【００２０】
また、本発明に係るＬＥＤ信号灯において、レンズ部をＸ字形状である場合には、第１の色の光で透光性スクリーンの全面に照射された赤色に対して第２の色の光でＸ字形状の青色を映写することで混色の紫色系とすることが可能となる。
【００２１】
また、本発明に係るＬＥＤ信号灯において、第１の色の光が黄色であり、第２の色の光が青色である場合には、第１の色の光で透光性スクリーンの全面に照射された黄色に対して第２の色の光で所定の形状の青色を映写することで混色の白色系とすることが可能となる。
【００２２】
また、本発明に係るＬＥＤ信号灯において、レンズ部を一字形状である場合には、第１の色の光で透光性スクリーンの全面に照射された黄色に対して第２の色の光で一字形状の青色を映写することで混色の白色系とすることが可能となる。
【００２３】
また、本発明に係るＬＥＤ信号灯において、第１のＬＥＤ及び第２のＬＥＤの消費電力が１ワット以上である場合には、第１のＬＥＤ及び第２のＬＥＤを最少の個数とすることが可能となる。
【００２４】
また、本発明に係るＬＥＤ信号灯において、透光性スクリーンは、透光率を８０％以下とする場合には、第１のＬＥＤ及び第２のＬＥＤから照射された光を透光性スクリーンに映写し、かつ一部を透光させることが可能となる。
【００２５】
また、本発明に係るＬＥＤ信号灯において、透光性スクリーンに映し出される第１のＬＥＤによる第１の色の光に対する第１の色の光に、第２のＬＥＤによる第２の色の光が照射される部分との輝度比が２０％以上とする場合には、第１の色の光と第１の色の光に第２のＬＥＤによる第２の色の光が照射される部分との色相差を明確にすることが可能となる。
【００２６】
例えば、輝度比が２０％を超える場合には、色覚異常者から信号灯を見た場合には、第１の色の光と第１の色の光に第２のＬＥＤによる第２の色の光が照射される部分との色相差を明確に視認することができる。
【００２７】
また、輝度比が２０％未満の場合には、第１の色の光と第１の色の光に第２のＬＥＤによる第２の色の光が照射される部分との色相差を明確に視認することができなくなる。
【００２８】
従って、健常者には違和感がなく、かつ色覚異常者が第１の色の光に対する第２の色の光の色相差を明確に視認することができるという点において輝度比が２０％であることが望ましい。
【発明の効果】
【００２９】
本発明のＬＥＤ信号灯によれば、数個のＬＥＤによって色覚異常者が一定距離からでも判別可能、かつ全体に混合変色を及ぼさないことが可能となる。
【図面の簡単な説明】
【００３０】
【図１】本発明を適用したＬＥＤ信号灯の一例を説明するための立体模式図である。
【図２】本発明を適用したＬＥＤ信号灯の一例の内部構造を説明するための模式図である。
【図３】本発明を適用したＬＥＤ信号灯における発光部の第１の形態を説明するための立体模式図（Ａ）、本発明を適用したＬＥＤ信号灯における発光部の第２の形態を説明するための立体模式図（Ｂ）及び、本発明を適用したＬＥＤ信号灯における発光部の第３の形態を説明するための立体模式図（Ｃ）である。
【図４】本発明を適用したＬＥＤ信号灯において作用状態を説明するための模式図である。
【図５】本発明を適用したＬＥＤ信号灯において第２のＬＥＤの輝度を調整する手段を説明するための模式図である。
【図６】本発明を適用したＬＥＤ信号灯の他の例における発光部の第１の形態を説明するための立体模式図（Ａ）、本発明を適用したＬＥＤ信号灯の他の例における発光部の第２の形態を説明するための立体模式図（Ｂ）及び、本発明を適用したＬＥＤ信号灯の他の例における発光部の第３の形態を説明するための立体模式図（Ｃ）である。
【図７】本発明を適用したＬＥＤ信号灯の他の例における発光部の作用状態を説明するための模式図である。
【図８】本発明を適用したＬＥＤ信号灯の更に他の例における発光部を説明するための平面模式図（Ａ）及び、本発明を適用したＬＥＤ信号灯の更に他の例における発光部の変形例を説明するための平面模式図（Ｂ）である。
【図９】従来のＬＥＤ信号灯の一例を説明するための模式図である。
【発明を実施するための形態】
【００３１】
以下、本発明の実施の形態を図面を参酌しながら詳述する。
【００３２】
＜第１の実施の形態＞
図１は本発明を適用したＬＥＤ信号灯の一例を説明するための立体模式図、及び図２は本発明を適用したＬＥＤ信号灯の一例の内部構造を説明するための模式図である。
【００３３】
ここで示すＬＥＤ信号灯１は、交差点等に設置される車両用の交通信号灯であり、灯器本体２と、透光性スクリーン３と、発光部４と、透光性カバー５とから構成されている。
【００３４】
ここで、灯器本体２は、金属や硬質樹脂等の硬質素材の外殻から構成されている。この灯器本体２は前面に透光性スクリーン３及び透光性カバー５を設置するための円形の開口部６が形成されている。
【００３５】
更に、灯器本体２の内部には発光部４を設置するために、透光性スクリーン３と平行状とされ、かつ平面状とされた底面７が形成されている。
【００３６】
また、発光部４は、基板８上の中央に、投光部１２が配置され、この投光部１２周囲の基板８上に赤色系の第１のＬＥＤ９が４個配置されている（図２参照）。
【００３７】
ここで、投光部１２の内部は中空状とされ、その内部の略中央に青色系の第２のＬＥＤ１０が配置されている。
【００３８】
更に、投光部１２の上面にはレンズ部１１が形成されることで第２のＬＥＤ１０からの第２の光は、レンズ部１１を通して透光性スクリーン３に映写される。
更に、レンズ部１１は凸レンズとされることでレンズ部１１を通して拡大して投光される。また、レンズ部１１の周囲が遮光領域とするために、レンズ部１１以外の投光部１２表面は、黒色等で塗布された遮光面１３とされている。
【００３９】
また、第１のＬＥＤ９及び第２のＬＥＤ１０に使用されるＬＥＤは、消費電力が１ワット以上のＬＥＤ、所謂高輝度の性能を有するハイパワーＬＥＤを使用するものとする。
【００４０】
このような構成とすることによって、投光部１２内で点灯された第２のＬＥＤ１０から照射された光は、レンズ部１１を通して透光性スクリーン３に拡大して照射される。
【００４１】
また、透光性スクリーン３は、合成樹脂等による透光性樹脂に微粒子が分布された構成とするものである。微粒子によって光が拡散されることで透光性スクリーン３全面に均一に光が分散されることになる。
【００４２】
また、透光率が８０％以下とされることで、透光性スクリーン３に照射される光の一部が透過して外部より視認することが可能となる。
【００４３】
また、図３（Ａ）は本発明を適用したＬＥＤ信号灯の発光部の第１の形態を説明するための立体模式図、図３（Ｂ）は本発明を適用したＬＥＤ信号灯の発光部の第２の形態を説明するための立体模式図、及び図３（Ｃ）は本発明を適用したＬＥＤ信号灯の発光部の第３の形態を説明するための立体模式図である。
【００４４】
ここで示す発光部４は、円形状の基板８上の内部が中空状とされた円柱形状の投光部１２が立設され、この投光部１２の周囲の基板８上に４個の第１のＬＥＤ９が等間隔で配置されている。
また、投光部１２の内部中央の基板８上には第２のＬＥＤ１０が配置され、その上面にはＸ字形状のレンズ部１１が形成されている。更に、レンズ部１１以外の投光部１２の外表面は遮光面１３とされている（図３（Ａ）参照）。
【００４５】
また、発光部４Ａは、円形状の基板８上の内部が中空状とされた半球体形状の投光部１２Ａが立設され、この投光部１２Ａの周囲の基板８上に４個の第１のＬＥＤ９が等間隔で配置されている。
【００４６】
また、投光部１２Ａの内部中央の基板８上には第２のＬＥＤ１０が配置され、その投光部１２Ａの球体面にはＸ字形状のレンズ部１１が形成されている。更に、レンズ部１１以外の投光部１２Ａの球体面は遮光面１３とされている（図３（Ｂ）参照）。
【００４７】
また、発光部４Ｂは、内部が中空状とされた円柱形状の投光部１２Ｂの内部の中央に第２のＬＥＤ１０が配置される。更に、投光部１２Ｂの上面にはＸ字形状のレンズ部１１が形成され、レンズ部１１以外の投光部１２Ｂの外表面は遮光面１３とされている。
【００４８】
また、投光部１２Ｂ上面の周囲には基板８が周設され、この基板８上に４個の第１のＬＥＤ９が等間隔で配置されている（図３（Ｃ）参照）。
【００４９】
以上からなる本発明のＬＥＤ信号灯では、図４に示すように、第１のＬＥＤ９から照射される第１の光１４が赤色であり、第２のＬＥＤ１０から照射される第２の光１５が青色であるとされる。
【００５０】
ここで、第１のＬＥＤ９から照射される第１の光１４は、透光性スクリーン３の全面に均一に拡散される。
【００５１】
また、第２のＬＥＤ１０から照射される第２の光１５は投光部１２内よりＸ字形状のレンズ部１１を通して透光性スクリーン３にＸ字形状に拡大して映写される。
【００５２】
このときに、透光性スクリーン３の全面が第１の光１４により赤色に照射され、この赤色に照射された透光性スクリーン３に対してＸ字形状の第２の光１５による青色が投光されることで赤色系と青色系とが混色して赤紫色系の色度を発現することができる。
【００５３】
これにより、透光性スクリーン３の第１の光１４が色覚異常者には赤色が沈んだ茶色に見え、Ｘ字形状の第２の光１５が明るい青色として浮かび上がるように見えることで色覚異常者は第１の光１４と第２の光１５の色相差で健常者より明確に識別することができる。
【００５４】
更に、万国共通である「止まれ」の文字表示としてＸ字形状を表示することで色覚異常者は、より明確に識別することが可能となる。
【００５５】
また、第２の光１５は、健常者には判別することが困難となる赤色と同系色である紫色系とするため、健常者には違和感のない両者共通のＬＥＤ信号灯を得ることが可能となる。
【００５６】
また、図５は本発明を適用したＬＥＤ信号灯において第２のＬＥＤの輝度を調整する手段を説明するための模式図である。
【００５７】
ここで、透光性カバー５の前面に、第１のＬＥＤによる第１の光と、第２のＬＥＤによる第２の光との輝度比を調整するための輝度調整用フィルター１６が貼着された構成とされている。
【００５８】
この輝度調整用フィルター１６は、透光性カバー５の第２の光が透過する部分に透光率が低下するように半透明状とした輝度調整用膜１７が形成されている。
【００５９】
これにより、透光性スクリーンに映し出される第１のＬＥＤによる第１の色の光に対する第１の色の光に、第２のＬＥＤによる第２の色の光が照射される部分との輝度比が２０％以上となるように調整することが可能となり、加えて色相差を明確にすることで相乗効果となり色覚異常者は、より明確に識別することができる。
【００６０】
＜第２の実施の形態＞
図６（Ａ）は本発明を適用したＬＥＤ信号灯の他の例における発光部の第１の形態を説明するための立体模式図、図６（Ｂ）は本発明を適用したＬＥＤ信号灯の他の例における発光部の第２の形態を説明するための立体模式図、及び図６（Ｃ）は本発明を適用したＬＥＤ信号灯の他の例における発光部の第３の形態を説明するための立体模式図（Ｃ）であ
【００６１】
ここで、発光部２４は、基板８上の中央に、投光部２２が配置され、この投光部２２周囲の基板８上には黄色系の第１のＬＥＤ９が４個配置されている。
【００６２】
ここで、発光部２４は、円形状の基板８上の内部が中空状とされた円柱形状の投光部２２が立設され、この投光部２２の周囲の基板８上に４個の第１のＬＥＤ９が等間隔で配置されている。
また、投光部２２の内部中央の基板８上には第２のＬＥＤ１０が配置され、その上面には一字形状のレンズ部１１Ａが形成されることで第２のＬＥＤ１０からの第２の光は、レンズ部１１Ａを通して透光性スクリーン３に映写される。更に、レンズ部１１Ａの周囲が遮光領域とするために、レンズ部１１Ａ以外の投光部２２表面は、黒色等で塗布された遮光面１３とされている（図６（Ａ）参照）。
【００６３】
また、発光部２４Ａは、円形状の基板８上の内部が中空状とされた半球体形状の投光部２２Ａが立設され、この投光部２２Ａの周囲の基板８上に４個の第１のＬＥＤ９が等間隔で配置されている。
【００６４】
また、投光部２２Ａの内部中央の基板８上には第２のＬＥＤ１０が配置され、その投光部２２Ａの球体面には一字形状のレンズ部１１Ａが形成されることで第２のＬＥＤ１０からの第２の光は、レンズ部１１Ａを通して透光性スクリーン３に映写される。更に、レンズ部１１Ａの周囲が遮光領域とするために、レンズ部１１Ａ以外の投光部２２Ａ表面は、黒色等で塗布された遮光面１３とされている（図６（Ｂ）参照）。
【００６５】
また、発光部２４Ｂは、内部が中空状とされた円柱形状の投光部２２Ｂの内部の中央に第２のＬＥＤ１０が配置される。更に、投光部２２Ｂの上面には一字形状のレンズ部１１Ａが形成されることで第２のＬＥＤ１０からの第２の光は、レンズ部１１Ａを通して透光性スクリーン３に映写される。更に、レンズ部１１Ａの周囲が遮光領域とするために、レンズ部１１Ａ以外の投光部２２Ｂ表面は、黒色等で塗布された遮光面１３とされている
【００６６】
また、投光部２２Ｂ上面の周囲には基板８が周設され、この基板８上に４個の第１のＬＥＤ９が等間隔で配置されている（図６（Ｃ）参照）。
る。
【００６７】
以上からなる本発明のＬＥＤ信号灯１Ａでは、図７に示すように、灯器本体２の内部には発光部２４が設置され、灯器本体２の開口端に透光性スクリーン３が取付けられた構成とされている。
【００６８】
ここで、第１のＬＥＤ９から照射される第１の光１４Ａが黄色であり、第２のＬＥＤ１０から照射される第２の光１５Ａが青色であるとされる。
【００６９】
このようにして、第１のＬＥＤ９から照射される第１の光１４Ａは、透光性スクリーン３の全面に均一に拡散される。
【００７０】
また、第２のＬＥＤ１０から照射される第２の光１５Ａは投光部２２内より一字形状のレンズ部１１Ａを通して透光性スクリーン３に一字形状に拡大して映写される。
【００７１】
このときに、透光性スクリーン３の全面が第１の光１４Ａにより黄色に照射され、この黄色に照射された透光性スクリーン３に対して一字形状の第２の光１５Ａによる青色が投光されることで黄色系と青色系とが混色して白色系の色度を発現することができる。
【００７２】
これにより、色覚異常者には、一字形状の第２の光１５Ａが第１の光１４Ａに比べて茶色系の沈んだ色に見えることで色覚異常者は第１の光１４Ａと第２の光１５Ａの白色系との色相差で健常者より明確に識別することができる。
【００７３】
更に、万国共通である「停止線」の文字表示として一字形状を表示することで色覚異常者は、より明確に識別することが可能となる。
【００７４】
また、健常者には第２の光が黄色と青色との混合した白色系の色となるために、健常者には黄色と白色の違和感のない両者共通のＬＥＤ信号灯を得ることが可能となる。
【００７５】
また、前記図５において詳述したように、透光性カバー５の前面に、第１のＬＥＤによる第１の光と、第２のＬＥＤによる第２の光との輝度比を調整するための輝度調整用フィルター１６が貼着された構成とされている。
【００７６】
この輝度調整用フィルター１６は、透光性カバー５の第２の光が透過する部分に透光率が低下するように半透明状とした輝度調整用膜１７が形成されている。
【００７７】
これにより、透光性スクリーンに映し出される第１のＬＥＤによる第１の色の光に対する第１の色の光に、第２のＬＥＤによる第２の色の光が照射される部分との輝度比が２０％以上となるように調整することが可能となり、加えて色相差を明確にすることで相乗効果となり色覚異常者は、より明確に識別することができる。
【００７８】
＜第３の実施の形態＞
図８（Ａ）は本発明を適用したＬＥＤ信号灯の更に他の例における発光部を説明するための平面模式図、及び図８（Ｂ）は本発明を適用したＬＥＤ信号灯の更に他の例における発光部の変形例を説明するための平面模式図である。
【００７９】
ここで示す発光部３４は、基板８の中心を囲むようにして４個の第１のＬＥＤ９が配置されている。更に、基板８の中心から略９０度ごとに４個の第２のＬＥＤ１０が第１のＬＥＤ９との間に配置されている。
【００８０】
また、第２のＬＥＤ１０上に、基板８の中心から遠心方向に沿ってレンズ部１１Ｂが一体的に配置されている。これにより、第２のＬＥＤ１０からの第２の光は、レンズ部１１Ｂを通して透光性スクリーン３に映写される。（図８（Ａ）参照）。
【００８１】
このような構成の発光部３４では、第１のＬＥＤ９から照射される第１の光が赤色であり、第２のＬＥＤ１０から照射される第２の光が青色であるとされる。
【００８２】
ここで、第１のＬＥＤ９から照射される第１の光は、透光性スクリーン３の全面に均一に拡散される。
【００８３】
また、第２のＬＥＤ１０から照射される第２の光は、レンズ部１１Ｂで拡大されて透光性スクリーン部３に映写される。
これにより、それぞれの第２のＬＥＤ１０から照射された第２の光は、透光性スクリーン３で互いに連結したＸ字形状に映写されることになる。
【００８４】
このようして、赤色に照射された透光性スクリーンに対してＸ字形状の第２の光による青色が投光されることで赤色系と青色系とが混色して赤紫色系の色度を発現することができる。
【００８５】
次に、図８（Ｂ）に示すように、発光部３４Ａは、基板８の中心を囲むようにして４個の第１のＬＥＤ９が配置されている。更に、基板８の中心から略１８０度ごとに２個の第２のＬＥＤ１０が第１のＬＥＤ９との間に配置されている。
【００８６】
また、第２のＬＥＤ１０上に、基板８の中心からそれぞれの第２のＬＥＤ１０に向けての遠心方向に沿ってレンズ部１１Ｂが一体的に配置されている。これにより、第２のＬＥＤ１０からの第２の光は、レンズ部１１Ｂを通して透光性スクリーン３に映写される。（図８（Ｂ）参照）。
【００８７】
このような構成の発光部３４Ａでは、第１のＬＥＤ９から照射される第１の光が黄色であり、第２のＬＥＤ１０から照射される第２の光が青色であるとされる。
【００８８】
ここで、第１のＬＥＤ９から照射される第１の光は、透光性スクリーン（図示せず。）の全面に均一に拡散される。
【００８９】
また、第２のＬＥＤ１０から照射される第２の光は、レンズ部１１Ｂで拡大されて透光性スクリーン部（図示せず。）に映写される。
これにより、それぞれの第２のＬＥＤ１０から照射された第２の光は、透光性スクリーン（図示せず。）で互いに連結した一字形状に映写されることになる。
【００９０】
このようして、黄色に照射された透光性スクリーンに対して一字形状の第２の光による青色が投光されることで黄色系と青色系とが混色して白色系の色度を発現することができる。
【００９１】
なお、＜第１の実施の形態＞及び＜第２の実施の形態＞では、レンズ部の周囲に第２の光を遮光する遮光領域を有するものであるが、必ずしも、遮光領域を有する必要性はない。
【００９２】
しかし、第２のＬＥＤから照射される第２の光はレンズ部を通してのみ透光性スクリーンに映写することができるという点においてレンズ部の周囲に第２の光を遮光する遮光領域を有することが望ましい。
【００９３】
また、＜第１の実施の形態＞では、第１の色の光が、赤色であり、第２の色の光が、青色であるとした場合に、レンズ部をＸ字形状とするものであるが、必ずしも、レンズ部をＸ字形状とする必要性はない。
【００９４】
しかし、色覚異常者では「止まれ」の赤色の点灯を識別することが困難であるために、万国共通である「止まれ」の文字表示としてＸ字形状を識別することができるという点においてレンズ部をＸ字形状とすることが望ましい。
【００９５】
また、＜第２の実施の形態＞では、第１の色の光が、黄色であり、第２の色の光が、青色であるとした場合に、レンズ部を一字形状とするものであるが、必ずしも、レンズ部を一字形状とする必要性はない。
【００９６】
しかし、色覚異常者では「停止線」を促す黄色の点灯を識別することが困難であるために、万国共通である「停止線」の文字表示として―字形状を識別することができるという点においてレンズ部を一字形状とすることが望ましい。
【００９７】
また、＜第１の実施の形態＞、＜第２の実施の形態＞及び＜第３の実施の形態＞では、第１のＬＥＤ及び第２のＬＥＤの消費電力が１ワット以上であるＬＥＤ、所謂「ハイパワーＬＥＤ」を使用するものであるが、必ずしもハイパワーＬＥＤを使用する必要性はない。
【００９８】
しかし、最少の個数でのＬＥＤによる高効率化を実現することができるという点において、ハイパワーＬＥＤを使用することが望ましい。
【００９９】
また、＜第１の実施の形態＞、＜第２の実施の形態＞及び＜第３の実施の形態＞では、透光性スクリーンの透光率を８０％以下とするものであるが、必ずしも、透光率を８０％以下とする必要性はない。
【０１００】
しかし、第１のＬＥＤ及び第２のＬＥＤから照射された光を透光性スクリーンに映写し、かつ一部を透光させることで発光輝度を認識することができるという点において透光率を８０％以下とすることが望ましい。
【０１０１】
また、＜第１の実施の形態＞、＜第２の実施の形態＞及び＜第３の実施の形態＞では、透光性スクリーンに映し出される第１のＬＥＤによる第１の色の光に対する第１の色の光に、第２のＬＥＤによる第２の色の光が照射される部分との輝度比が２０％以上とするものであるが、必ずしも、輝度比が２０％以上とする必要性はない。
【０１０２】
しかし、色相差を明確にすることができるという点において、透光性スクリーンに映し出される第１のＬＥＤによる第１の色の光に対する第１の色の光に第２のＬＥＤによる第２の色の光が照射される部分との輝度比が２０％以上であることが望ましい。
【符号の説明】
【０１０３】
１、１Ａ          ＬＥＤ信号灯
２                灯器本体
３                透光性スクリーン
４、４Ａ、４Ｂ、２４、２４Ａ，２４Ｂ、３４、３４Ａ  発光部
５                透光性カバー
６                開口部
７                底面
８                基板
９                第１のＬＥＤ
１０              第２のＬＥＤ
１１、１１Ａ、１１Ｂ  レンズ部
１２、１２Ａ、１２Ｂ、２２、２２Ａ，２２Ｂ  投光部
１３              遮光面
１４、１４Ａ      第１の光
１５、１５Ａ      第２の光
１６              輝度調整用フィルター
１７              輝度調整用膜
【図１】
0006433317.tif 000002
【図２】
0006433317.tif 000003
【図３】
0006433317.tif 000004
【図４】
0006433317.tif 000005
【図５】
0006433317.tif 000006
【図６】
0006433317.tif 000007
【図７】
0006433317.tif 000008
【図８】
0006433317.tif 000009
【図９】
0006433317.tif 000010